(57)【要約】【課題】インターホン機能を有すると共に、種々サービスの情報の登録・削除が容易に行なうことができ、而も種々サービスを受けられるようにする。【解決手段】集合玄関機１、情報サーバ９、生活情報盤３ａ、３ｂ、・・・および生活情報盤、集合玄関機を制御する制御装置５を集合住宅内に備え、情報サーバは、生活情報盤の操作部３４の操作により起動され集合住宅内の施設利用を行なうための予約機能、情報サーバに保存された各種情報を取得するための情報取得機能、契約店舗への注文機能等の各種機能を実行する機能を有し、集合住宅には、情報サーバに蓄積されている情報を管理し、情報サーバに蓄積されている情報を編集し、編集された情報を情報サーバに蓄積する機能を有する管理用パソコン６２を備え、生活情報盤は、操作部の操作にしたがって管理用パソコンで編集された情報を情報サーバから読み出し表示部３１に表示する機能を有する。【選択図】図１
2004128624.tif 000002
【特許請求の範囲】
【請求項１】
カメラ（１６）で撮像した訪問者の映像を作成すると共に、居住者を呼び出し、通話を行なうための集合玄関機（１）と、
集合住宅館内の施設情報、館外の地域情報等の各種情報を保存する情報サーバ（９）と、
前記訪問者と通話するための通話部（３２）、集合住宅内の施設利用を行なうための予約機能、前記情報サーバに保存された各種情報を取得するための情報取得機能、契約店舗への注文機能等の各種機能を起動するための操作部（３４）、前記訪問者の映像を表示するとともに前記情報サーバから取得した情報の表示、前記情報サーバから各種情報を取得するためのメニュー画面の表示をするための表示部（３１）を有する生活情報盤（３ａ、３ｂ、・・・）と、
前記生活情報盤および前記集合玄関機を制御する制御装置（５）とを備え、
前記情報サーバは、前記生活情報盤の前記操作部の操作により起動され前記集合住宅内の施設利用を行なうための予約機能、前記情報サーバに保存された各種情報を取得するための情報取得機能、契約店舗への注文機能等の各種機能を実行する機能を有するものであり、
前記集合住宅には、前記情報サーバに蓄積されている情報を管理し、前記情報サーバに蓄積されている情報を編集し、編集された情報を前記情報サーバに蓄積する機能を有する管理用パソコン（６２）を備え、
前記生活情報盤は、前記操作部の操作にしたがって前記管理用パソコンで編集された情報を前記情報サーバから読み出し前記表示部に表示する機能を有するものであることを特徴とする集合住宅インターホンシステム。
【請求項２】
前記情報サーバは、館外の店舗と契約する場合、館外契約店舗（１５）が所有しインターネットを介して前記契約した店舗からの広告情報を前記情報サーバに蓄積することにより前記生活情報盤へ情報を提供し、前記生活情報盤から前記情報サーバを介して前記館外契約店舗に対しての注文を受けるための館外契約店舗用パソコン（１５２）と接続されることを特徴とする請求項１記載の集合住宅インターホンシステム。
【請求項３】
前記情報サーバは、館内の店舗と契約する場合、館内契約店舗（７）が所有し前記契約した店舗からの広告情報を前記情報サーバに蓄積することにより前記生活情報盤へ情報を提供し、前記生活情報盤から前記情報サーバを介して前記館内契約店舗に対しての注文を受けるための館内契約店舗用パソコン（７１）と接続されることを特徴とする請求項１記載の集合住宅インターホンシステム。
【請求項４】
前記生活情報盤は、前記管理用パソコンにより前記情報サーバに新規に登録された情報を新着情報として表示期限設定し、前記生活情報盤に知らされた新着情報を前記表示部に表示された前記メニュー画面に基づいて前記操作部で取得するための所定の操作をすると、該当する期限情報が含まれた新着情報のタイトルを前記表示部に表示させる機能を有するものであることを特徴とする請求項１乃至請求項３何れか１項記載の集合住宅インターホンシステム。
【請求項５】
前記生活情報盤は、前記新着情報が複数ある場合は、前記新着情報のタイトルを一覧で前記表示部に表示させる機能を有するものであることを特徴とする請求項４記載の集合住宅インターホンシステム。
【請求項６】
前記生活情報盤は、前記生活情報盤の前記表示部に表示された前記新着情報のタイトルを前記操作部にて選択すると、前記新着情報のタイトルとリンクした詳細情報を前記情報サーバから読み出して前記表示部に表示させる機能を有するものであることを特徴とする請求項４または請求項５記載の集合住宅インターホンシステム。
【請求項７】
前記生活情報盤は、前記新着情報を受信したとき点灯または点滅する新着表示灯（３５ａ）を備えたことを特徴とする請求項４記載の集合住宅インターホンシステム。
【請求項８】
前記管理用パソコン、前記館内契約店舗用パソコン、前記館外契約店舗用パソコンの少なくとも一つは、前記情報サーバに保存された各種情報について前記生活情報盤への公開日および／または非公開日を設定することにより、前記生活情報盤での情報表示期間を設定できる機能を有するものであることを特徴とする請求項１乃至請求項７何れか１項記載の集合住宅インターホンシステム。
【請求項９】
前記管理用パソコンは、前記各種情報を簡易作成するにあたり表示されるレイアウトを変更するためのテンプレートを前記情報サーバに登録する機能を有するものであることを特徴とする請求項１乃至請求項８何れか１項記載の集合住宅インターホンシステム。
【請求項１０】
前記管理用パソコン、前記館内契約店舗用パソコン、前記館外契約店舗用パソコンの少なくとも一つは、前記情報サーバに登録された前記テンプレートを使用することにより前記各種情報を作成し、登録する機能を有するものであることを特徴とする請求項９記載の集合住宅インターホンシステム。
【請求項１１】
前記管理用パソコンは、前記生活情報盤からの施設予約を管理し、前記施設予約があったときには、その情報を前記情報サーバに予約完了情報として保存するとともに前記生活情報盤に前記施設予約の受付がされた旨の情報を通知する機能を有するものであることを特徴とする請求項１乃至請求項１０何れか１項記載の集合住宅インターホンシステム。
【請求項１２】
前記生活情報盤は、前記予約完了情報を受信したとき点灯または点滅する予約完了表示灯（３５ｂ）を備えたことを特徴とする請求項１１記載の集合住宅インターホンシステム。
【請求項１３】
前記生活情報盤は、施設予約がされた内容を確認するため、前記操作部で所定の操作を行なうと情報サーバに保存した施設の予約状況を読み出して前記表示部に表示させる機能を有するものであることを特徴とする請求項１１または請求項１２記載の集合住宅インターホンシステム。
【発明の詳細な説明】
【０００１】
【発明の属する技術分野】
本発明は、集合住宅インターホンシステムに係り、特に、インターホン機能を有すると共に、システム内機器間のネットワークを通じて種々サービスを受けることができる集合住宅インターホンシステムに関する。
【０００２】
【従来の技術】
従来から、この種の集合住宅インターホンシステムとして、電子情報処理組織、有線・無線の各種ネットワーク、各種データベース等を利用して、システム側と複数の入出力端末との間において双方向通信を行いつつ、最短時間で最適サービスを提案・実行するための集合住宅等用電子情報・サービスシステムが提案されている（例えば、特許文献１参照）。
【０００３】
この集合住宅等用電子情報・サービスシステムは、集合住宅等の各住戸に配設された簡易入出力端末と、これら各簡易入出力端末のすべてに対して電子情報の授受を行うために配設されたメインサーバと、該メインサーバに接続されたシステム管理者用ホストコンピュータ装置と、該ホストコンピュータの管理の下に緊急情報・生活情報等の情報提供、法律・税務・医療・健康・介護等の相談、オンラインショッピング、検索サービス等に対応するためのシステム傘下の機関・団体・企業等の属する端末装置とを有している。
【０００４】
このような集合住宅等用電子情報・サービスシステムは、簡易入出力端末に表示されたトップメニューから、選択入力システムからの応答の繰り返しを順次実施することにより、最終的に所望のサービスを提供することができる。
【０００５】
【特許文献１】特開２００１−２６５９４３号公報
【発明が解決しようとする課題】
しかしながら、このような集合住宅等用電子情報・サービスシステムでは、訪問者との呼出・通話を行なうためのインターホン機能を有するインターホン装置と共に、別途サービスを取得するためのシステムを設置する必要があり、機器が複数必要になっていた。また、サービスの情報を登録・削除する機能が具現化されていなかった。
【０００６】
本発明は、このような従来の難点を解決するためになされたもので、インターホン機能を有すると共に、集合住宅内外からの種々のサービス情報の登録・削除が容易に行なうことができ、而もシステム内機器間のネットワークを通じて種々サービスを受けることができる集合住宅インターホンシステムを提供することを目的とする。
【０００７】
【課題を解決するための手段】
上記目的を達成する本発明の集合住宅インターホンシステムは、カメラで撮像した訪問者の映像を作成すると共に、居住者を呼び出し、通話を行なうための集合玄関機と、集合住宅館内の施設情報、館外の地域情報等の各種情報を保存する情報サーバと、訪問者と通話するための通話部、集合住宅内の施設利用を行なうための予約機能、情報サーバに保存された各種情報を取得するための情報取得機能、契約店舗への注文機能等の各種機能を起動するための操作部、訪問者の映像を表示するとともに情報サーバから取得した情報の表示、情報サーバから各種情報を取得するためのメニュー画面の表示をするための表示部を有する生活情報盤と、生活情報盤および集合玄関機を制御する制御装置とを備えている。情報サーバは、生活情報盤の操作部の操作により起動され集合住宅内の施設利用を行なうための予約機能、情報サーバに保存された各種情報を取得するための情報取得機能、契約店舗への注文機能等の各種機能を実行する機能を有するものである。また、集合住宅には、情報サーバに蓄積されている情報を管理し、情報サーバに蓄積されている情報を編集し、編集された情報を情報サーバに蓄積する機能を有する管理用パソコンを備えている。さらに、生活情報盤は、操作部の操作にしたがって管理用パソコンで編集された情報を情報サーバから読み出し表示部に表示する機能を有するものである。
【０００８】
このような集合住宅インターホンシステムによれば、生活情報盤の操作部で情報サーバに保存された情報を取得するための操作を行なうと、情報サーバがこの操作に基づきその情報を生活情報盤に送信するので、生活情報盤はその情報を表示部に表示できる。
【０００９】
また、本発明の集合住宅インターホンシステムにおいて、情報サーバは、館外の店舗と契約する場合、館外契約店舗が所有しインターネットを介して契約した店舗からの広告情報を情報サーバに蓄積することにより生活情報盤へ情報を提供し、生活情報盤から情報サーバを介して館外契約店舗に対しての注文を受けるための館外契約店舗用パソコンと接続されるものである。これにより、館外契約店舗と情報サーバ、生活情報盤と情報サーバ間でアクセスすることができるようになる。
【００１０】
また、本発明の集合住宅インターホンシステムにおいて、情報サーバは、館内の店舗と契約する場合、館内契約店舗が所有し契約した店舗からの広告情報を情報サーバに蓄積することにより生活情報盤へ情報を提供し、生活情報盤から情報サーバを介して館内契約店舗に対しての注文を受けるための館内契約店舗用パソコンと接続されるものである。これにより、館内契約店舗と情報サーバ、生活情報盤と情報サーバ間でアクセスすることができるようになる。
【００１１】
また、本発明の集合住宅インターホンシステムにおいて、生活情報盤は、管理用パソコンにより情報サーバに新規に登録された情報を新着情報として表示期限設定し、生活情報盤に知らされた新着情報を表示部に表示されたメニュー画面に基づいて操作部で取得するための所定の操作をすると、該当する期限情報が含まれた新着情報のタイトルを表示部に表示させる機能を有するものである。これにより、新着情報の有効期限を生活情報盤の表示部で確認することができる。
【００１２】
また、本発明の集合住宅インターホンシステムにおいて、生活情報盤は、新着情報が複数ある場合は、新着情報のタイトルを一覧で表示部に表示させる機能を有するものである。これにより、複数ある新着情報のタイトルを生活情報盤の表示部で容易に確認することができる。
【００１３】
また、本発明の集合住宅インターホンシステムにおいて、生活情報盤は、生活情報盤の表示部に表示された新着情報のタイトルを操作部にて選択すると、新着情報のタイトルとリンクした詳細情報を情報サーバから読み出して表示部に表示させる機能を有するものである。これにより、新着情報のタイトルからその詳細情報を表示部に表示させることができる。
【００１４】
また、本発明の集合住宅インターホンシステムにおいて、生活情報盤は、新着情報を受信したとき点灯または点滅する新着表示灯を備えたものである。これにより、新着情報の有無を生活情報盤で視覚にて確認できる。
【００１５】
また、本発明の集合住宅インターホンシステムにおいて、管理用パソコン、館内契約店舗用パソコン、館外契約店舗用パソコンの少なくとも一つは、情報サーバに保存された各種情報について生活情報盤への公開日および／または非公開日を設定することにより、生活情報盤での情報表示期間を設定できる機能を有するものである。これにより、生活情報盤の表示部に表示される情報表示有効期間を設定することができる。
【００１６】
また、本発明の集合住宅インターホンシステムにおいて、管理用パソコンは、各種情報を簡易作成するにあたり表示されるレイアウトを変更するためのテンプレートを情報サーバに登録する機能を有するものである。これにより、情報サーバに登録されるテンプレートのレイアウトを管理用パソコンで容易に変更することができる。
【００１７】
また、本発明の集合住宅インターホンシステムにおいて、管理用パソコン、館内契約店舗用パソコン、館外契約店舗用パソコンの少なくとも一つは、情報サーバに登録されたテンプレートを使用することにより各種情報を作成し、登録する機能を有するものである。これにより、管理用パソコン、館内契約店舗用パソコン、館外契約店舗用パソコンで、簡易に各種情報を作成し、登録することができる。
【００１８】
また、本発明の集合住宅インターホンシステムにおいて、管理用パソコンは、生活情報盤からの施設予約を管理し、施設予約があったときには、その情報を情報サーバに予約完了情報として保存するとともに生活情報盤に施設予約の受付がされた旨の情報を通知する機能を有するものである。これにより、施設予約が完了したことを生活情報盤で確認できる。
【００１９】
また、本発明の集合住宅インターホンシステムにおいて、生活情報盤は、予約完了情報を受信したとき点灯または点滅する予約完了表示灯を備えたものである。これにより、施設予約が完了したことを生活情報盤で視覚にて確認できる。
【００２０】
また、本発明の集合住宅インターホンシステムにおいて、生活情報盤は、施設予約がされた内容を確認するため、操作部で所定の操作を行なうと情報サーバに保存した施設の予約状況を読み出して表示部に表示させる機能を有するものである。これにより、生活情報盤の表示部で施設の予約状況を確認できる。
【００２１】
【発明の実施の形態】
以下、本発明による集合住宅インターホンシステムの好ましい実施の一形態例を図面に従って説明する。
【００２２】
本発明の集合住宅インターホンシステムは図１に示すように、集合住宅館内に、カメラ１６で撮像した訪問者の映像を作成すると共に、居住者を呼び出し、通話を行なうための拡声スピーカ１２、マイク１３や、居室番号等を表示するためのＬＣＤモニタ等から成る表示部１１を有する集合玄関機１と、訪問者と通話するためのハンドセットスピーカ３２ａ、ハンドセットマイク３２ｂから成る通話部であるハンドセット３２、訪問者の映像を表示するためのＬＣＤモニタ等から成る表示部３１、集合玄関機１による訪問者からの呼び出しを報知するための呼出音を鳴動する拡声スピーカ３３、各種操作を行なうための表示部操作ボタン等を有する操作部３４、およびＬＥＤ等から成る表示灯３５を有する生活情報盤３ａ、３ｂ、・・・と、ハンドセットスピーカ２２ａ、ハンドセットマイク２２ｂから成るハンドセット２２、集合玄関機１を操作する訪問者や生活情報盤３ａ、３ｂ、・・・を操作する居住者からの呼び出しを報知するための呼出音を鳴動する拡声スピーカ２３、および居室番号等を表示するためのＬＣＤモニタ等から成る表示部２１を有し管理室内等に設置される管理室親機２と、集合玄関機１、生活情報盤３ａ、３ｂ、・・・および管理室親機２を制御する制御装置５とを備えている。
【００２３】
制御装置５は、制御回路５１および通信回路５２ａ、５２ｂ、５２ｃ、５２ｄから構成され、集合玄関機１が通信回路５２ａを、管理室親機２が通信回路５２ｂを、生活情報盤３ａ、３ｂ、・・・が通信回路５２ｃを介してそれぞれ制御回路５１に接続されている。また、制御回路５１に接続されている通信回路５２ｄはＨＵＢ８に接続されている。
【００２４】
また、集合住宅館内には、集合住宅館内の施設情報、館外の地域情報等の各種情報を保存する情報サーバ９と、管理センタ６内に設けられ情報サーバ９に蓄積されている情報を管理し、情報サーバ９に蓄積されている情報を編集し、編集された情報を情報サーバ９に蓄積する機能を有する管理用パソコン６２とを備えている。
【００２５】
さらに、集合住宅館内には、館内の店舗と契約する場合、館内契約店舗７が所有し契約した店舗からの広告情報を情報サーバ９に蓄積することにより生活情報盤３ａ、３ｂ、・・・へ情報を提供し、生活情報盤３ａ、３ｂ、・・・から情報サーバ９を介して館内契約店舗７に対しての注文を受けるための館内契約店舗用パソコン７１を備えている。これにより、館内契約店舗７と情報サーバ９、生活情報盤３ａ、３ｂ、・・・と情報サーバ９間でアクセスすることができるようになる。
【００２６】
ここで、生活情報盤３ａ、３ｂ、・・・の詳細について説明すると、図２に示すように、表示部３１は表示部駆動回路３６を介して通信インタフェース（ＩＦ）４５に接続され、ハンドセット３２のハンドセットスピーカ３２ａはスピーカアンプ４３を、ハンドセットマイク３２ｂはマイクアンプ４４を介してそれぞれ２線４線変換回路であるＣＯＤＥＣ４２に接続され、ＣＯＤＥＣ４２は通信ＩＦ４５に接続されている。また、拡声スピーカ３３は拡声スピーカアンプ４１を介して音声合成回路４０に接続され、音声合成回路４０はＣＰＵ３７に接続され、ＣＰＵ３７は通信ＩＦ４５に接続されている。また、ＣＰＵ３７には、タッチパネル操作信号送出回路３８を介して操作部３４が、表示灯駆動回路３９を介して表示灯３５の新着表示灯３５ａ、予約完了表示灯３５ｂがそれぞれ接続されている。
【００２７】
また、図１に示すように、管理センタ６の管理用パソコン６２は、同じく管理センタ６内に設けられた新着有無管理サーバ６１とともにＨＵＢ８に接続され、このＨＵＢ８には、さらに、館内契約店舗７の館内契約店舗用パソコン７１が接続されている。
【００２８】
なお、情報サーバ９は、ネットワークに対して強力なフィルタリングを行なう機能と、アプリケーションプロキシゲートウェイとしての機能とを有するファイヤーウォール１０を介してＨＵＢ８に接続されている。このファイヤーウォール１０は、モデム１４を介してインターネットに接続されている。
【００２９】
このインターネットには、館外の店舗と契約する場合、館外契約店舗１５が所有し契約した店舗からの広告情報を情報サーバ９に蓄積することにより生活情報盤３ａ、３ｂ、・・・へ情報を提供し、生活情報盤３ａ、３ｂ、・・・から情報サーバ９を介して館外契約店舗１５に対しての注文を受けるための館外契約店舗用パソコン１５２がモデム１５１を介して接続されている。これにより、館外契約店舗１５と情報サーバ９、生活情報盤３ａ、３ｂ、・・・と情報サーバ９間でアクセスすることができるようになる。この館外契約店舗１５内には、さらに、ＦＡＸ１５３もモデム１５１に接続されている。
【００３０】
このような集合住宅インターホンシステムの情報サーバ９は、生活情報盤３ａ、３ｂ、・・・の操作部３４の操作により起動され集合住宅内の施設利用を行なうための予約機能、情報サーバ９に保存された各種情報を取得するための情報取得機能、契約店舗への注文機能等の各種機能を実行する機能を有している。なお、生活情報盤３ａ、３ｂ、・・・の操作部３４は集合住宅内の施設利用を行なうための予約機能、情報サーバ９に保存された各種情報を取得するための情報取得機能、契約店舗への注文機能等の各種機能を起動することができ、また、表示部３１は情報サーバ９から取得した情報の表示、情報サーバ９から各種情報を取得するためのメニュー画面の表示をすることができる。
【００３１】
次に、生活情報盤３ａ、３ｂ、・・・のＣＰＵ３７は、操作部３４の操作にしたがって管理センタ６の管理用パソコン６２で編集された情報を情報サーバ９から読み出し表示部３１に表示する機能を有している。また、生活情報盤３ａ、３ｂ、・・・のＣＰＵ３７は、管理用パソコン６２により情報サーバ９に新規に登録された情報を新着情報として表示期限設定し、生活情報盤３ａ、３ｂ、・・・に知らされた新着情報を表示部３１に表示されたメニュー画面に基づいて操作部３４で取得するための所定の操作をすると、該当する期限情報が含まれた新着情報のタイトルを表示部３１に表示させる機能を有している。これにより、新着情報の有効期限を生活情報盤３ａ、３ｂ、・・・の表示部３１で確認することができる。このような生活情報盤３ａ、３ｂ、・・・は表示灯３５に、新着情報を受信したとき点灯または点滅するＬＥＤ等から成る新着表示灯３５ａを備えている。これにより、新着情報の有無を生活情報盤３ａ、３ｂ、・・・で視覚にて確認できる。
【００３２】
また、生活情報盤３ａ、３ｂ、・・・は情報サーバ９に保存された新着情報が複数ある場合は、表示部駆動回路３６を介して新着情報のタイトルを一覧で表示部３１に表示させる機能を有している。これにより、複数ある新着情報を生活情報盤３ａ、３ｂ、・・・の表示部３１で容易に確認することができる。また、生活情報盤３ａ、３ｂ、・・・の表示部駆動回路３６は、生活情報盤３ａ、３ｂ、・・・の表示部３１に表示された新着情報のタイトルを操作部３４にて選択すると、新着情報のタイトルとリンクした詳細情報を情報サーバ９から読み出して表示部３１に表示させる機能を有している。これにより、新着情報のタイトルからその詳細情報を表示部３１に表示させることができる。
【００３３】
次に、管理センタ６の管理用パソコン６２は、各種情報を簡易作成するにあたり表示されるレイアウトを変更するためのテンプレートを情報サーバ９に登録する機能を有している。これにより、情報サーバ９に登録されるテンプレートのレイアウトを管理用パソコン６２で容易に変更することができる。また、管理用パソコン６２は、生活情報盤３ａ、３ｂ、・・・からの施設予約を管理し、施設予約があったときには、その情報を情報サーバ９に予約完了情報として保存するとともに生活情報盤３ａ、３ｂ、・・・に施設予約の受付がされた旨の情報を通知する機能を有している。これにより、生活情報盤３ａ、３ｂ、・・・で施設予約が完了したことを確認できる。なお、生活情報盤３ａ、３ｂ、・・・は表示灯３５に、予約完了情報を受信したとき点灯または点滅するＬＥＤ等から成る予約完了表示灯３５ｂを備えている。これにより、施設予約が完了したことを生活情報盤３ａ、３ｂ、・・・で視覚にて確認できる。このような生活情報盤３ａ、３ｂ、・・・は、施設予約がされた内容を確認するため、操作部３４で所定の操作を行なうと情報サーバ９に保存した施設の予約状況を読み出して表示部３１に表示させる機能を有している。これにより、生活情報盤３ａ、３ｂ、・・・の表示部３１で施設の予約状況を確認できる。
【００３４】
さらに、管理用パソコン６２、館内契約店舗用パソコン７１、館外契約店舗用パソコン１５２の少なくとも一つは、情報サーバ９に保存された各種情報について生活情報盤３ａ、３ｂ、・・・への公開日および／または非公開日を設定することにより、生活情報盤３ａ、３ｂ、・・・での情報表示期間を設定できる機能を有するものである。これにより、生活情報盤３ａ、３ｂ・・・の表示部に表示される情報表示有効期間を設定することができる。また、管理用パソコン６２、館内契約店舗用パソコン７１、館外契約店舗用パソコン１５２の少なくとも一つは、情報サーバ９に登録されたテンプレートを使用することにより各種情報を作成し、登録する機能を有するものである。これにより、管理用パソコン６２、館内契約店舗用パソコン７１、館外契約店舗用パソコン１５２で、簡易に各種情報を作成し、登録することができる。
【００３５】
このように構成された集合住宅インターホンシステムにおいて、以下、その動作について説明する。
【００３６】
なお、集合玄関に居る来訪者が集合玄関機１で住戸内に在室中の居住者または管理室内に在室中のマンション管理人を呼び出して、住戸内の生活情報盤３ａ、３ｂ、・・・または管理室内の管理室親機２との通話を成立させる動作、居住者が住戸内の生活情報盤３ａ、３ｂ、・・・で管理人を呼び出しして管理室内の管理室親機２との通話を成立させる動作、管理人が管理室内の管理室親機２で居住者を呼び出しして住戸内の生活情報盤３ａ、３ｂ、・・・との通話を成立させる動作については従来と同様であるので説明を省略する。
【００３７】
まず、マンション管理人または契約店舗担当者が地域情報や広告情報を登録する際に、管理用パソコン６２、館内契約店舗用パソコン７１、館外契約店舗用パソコン１５２の何れかより情報サーバ９内のテンプレートを利用して情報の作成／登録を行なうと、情報サーバ９内に情報が登録され該情報サーバ９からこの情報に基づく新着通知信号Ｓ１をファイヤーウォール１０およびＨＵＢ８を介して新着有無管理サーバ６１に送信する。新着通知信号Ｓ１を受信した新着有無管理サーバ６１は、ＨＵＢ８および制御装置５の通信回路５２ｄ、制御回路５１、通信回路５２ｃを介してすべての生活情報盤３ａ、３ｂ・・・に有効なアドレスが付加された新着通知信号Ｓ２を、該生活情報盤３ａ、３ｂ・・・に送信するので、各生活情報盤３ａ、３ｂ・・・はこの新着通知信号Ｓ２を通信ＩＦ４５、ＣＰＵ３７を介して表示灯駆動回路３９に送信し、新着表示灯３５ａを点灯させることができる。
【００３８】
次に、全生活情報盤３ａ、３ｂ・・・のうち、例えば生活情報盤３ａで新着情報を参照するために操作部３４より新着情報取得操作を行なうと、タッチパネル操作信号送信回路３８で新着情報取得信号Ｓ３を送出するので、この新着情報取得信号Ｓ３はＣＰＵ３７、通信ＩＦ４５を介して制御装置５に送信される。制御装置５はこの新着情報取得信号Ｓ３をＨＵＢ８、ファイヤーウォール１０を介して情報サーバ９に送信する。この新着情報取得信号Ｓ３を受信した情報サーバ９は、要求された新着情報の新着情報信号Ｓ４をファイヤーウォール１０、ＨＵＢ８、制御装置５を介して生活情報盤３ａに送信するので、生活情報盤３ａはこの新着情報信号Ｓ４を、通信ＩＦ４５を介して表示部駆動回路３６に送信し、表示部３１に表示させることができる。
【００３９】
また、生活情報盤３ａが備えられた居室の居住者が所定の新着情報の内容について了解した場合に、生活情報盤３ａの操作部３４より新着情報了解操作を行なうと、タッチパネル操作信号送信回路３８で了解済みの了解済信号Ｓ５を送出するので、この了解済信号Ｓ５はＣＰＵ３７、通信ＩＦ４５を介して制御装置５に送信される。制御装置５はこの了解済信号Ｓ５をＨＵＢ８、ファイヤーウォール１０を介して情報サーバ９に送信する。この了解済信号Ｓ５を受信した情報サーバ９は、新着情報の対象から該当する生活情報盤３ａの新着情報が無しとするが、生活情報盤３ａに対するすべての新着情報が無くなった場合には、新着無し信号Ｓ６を、ファイヤーウォール１０、ＨＵＢ８を介して新着有無管理サーバ６１に送信する。新着無し信号Ｓ６を受信した新着有無管理サーバ６１は、ＨＵＢ８および制御装置５の通信回路５２ｄ、制御回路５１、通信回路５２ｃを介して生活情報盤３ａへの新着無し信号Ｓ７を、該生活情報盤３ａに送信するので、生活情報盤３ａはこの新着無し信号Ｓ７を通信ＩＦ４５、ＣＰＵ３７を介して表示灯駆動回路３９に送信し、新着表示灯３５ａを消灯させることができる。
【００４０】
なお、情報サーバ９に複数の新着情報が存在する場合は、生活情報盤３ａが表示部３１に新着情報の一覧を表示することができるので、複数ある新着情報のタイトルを生活情報盤３ａの表示部３１で容易に確認することができる。また、情報サーバ９内に保存されている了解済みの館内情報や広告情報も、生活情報盤３ａの表示部３１に新着情報の一覧として表示することができる。
【００４１】
さらに、生活情報盤３ａより契約施設の予約を行なうために操作部３４で施設予約操作すると、タッチパネル操作信号送出回路３８から施設予約信号Ｓ８が制御装置５の通信回路５２ｃ、制御回路５１、通信回路５２ｄおよびＨＵＢ８を介して管理センタ６の管理用パソコン６２に送信される。管理用パソコン６２は、その施設予約信号Ｓ８を情報サーバ９に予約完了情報として保存するとともに、生活情報盤３ａに施設予約の受付がされた旨の情報である施設予約完了信号Ｓ９を、ＨＵＢ８および制御装置５の通信回路５２ｄ、制御回路５１、通信回路５２ｃを介して生活情報盤３ａに送信する。生活情報盤３ａは、この施設予約完了信号Ｓ９を通信ＩＦ４５、ＣＰＵ３７を介して表示灯駆動回路３９に送信し、予約完了表示灯３５ｂを点灯させることができる。
【００４２】
また、生活情報盤３ａが備えられた居室の居住者がこの施設予約完了について了解した場合に、生活情報盤３ａの操作部３４より施設予約完了操作を行なうと、タッチパネル操作信号送信回路３８で了解済みの了解済信号Ｓ１０を送出するので、この了解済信号Ｓ１０はＣＰＵ３７、通信ＩＦ４５を介して制御装置５に送信される。制御装置５はこの了解済信号Ｓ１０をＨＵＢ８、ファイヤーウォール１０を介して情報サーバ９に送信する。この了解済信号Ｓ１０を受信した情報サーバ９は、施設予約受付情報の対象から該当する生活情報盤３ａの施設予約受付が無しとするが、生活情報盤３ａに対するすべての施設予約受付情報が無くなった場合には施設予約受付情報が無くなった旨の施設予約受付無し信号Ｓ１１を、ファイヤーウォール１０、ＨＵＢ８を介して新着有無管理サーバ６１に送信する。施設予約受付無し信号Ｓ１１を受信した新着有無管理サーバ６１は、ＨＵＢ８および制御装置５の通信回路５２ｄ、制御回路５１、通信回路５２ｃを介して生活情報盤３ａへの施設予約受付無し信号Ｓ１２を、該生活情報盤３ａに送信するので、生活情報盤３ａはこの施設予約受付無し信号Ｓ１２を通信ＩＦ４５、ＣＰＵ３７を介して表示灯駆動回路３９に送信し、予約完了表示灯３５ｂを消灯させることができる。
【００４３】
なお、上述した実施の形態例では、全生活情報盤３ａ、３ｂ・・・のうち生活情報盤３ａに基づき説明していたが、これに限らず、他の生活情報盤においても同様の動作がなされるのは言うまでもない。
【００４４】
また、上述した実施の形態例では、新着情報を全生活情報盤３ａ、３ｂ・・・に送信していたが、これに限らず、予め定められた生活情報盤のみに送信してもよい。
【００４５】
さらに、上述した実施の形態例では、館外契約店舗用パソコン１５２がインターネットを介して集合住宅館内のモデム１４に接続されているため、情報サーバ９はファイヤーウォール１０に接続されているが、館外契約店舗用パソコン１５２が集合住宅館内のモデム１４に接続されていない場合は、情報サーバ９を直接、ＨＵＢ８に接続してもよい。
【００４６】
【発明の効果】
以上の説明から明らかなように本発明の集合住宅インターホンシステムによれば、インターホン機能を有すると共に、集合住宅内外からの地域情報や広告情報、また、地域の店舗への商品注文など、種々のサービス情報の登録・削除が容易に行なうことができ、而もシステム内機器間のネットワークを通じてこれらサービスを集合住宅内の居住者に提供できるようになる。
【図面の簡単な説明】
【図１】本発明の集合住宅インターホンシステムによる好ましい実施の一形態例を示すブロック図。
【図２】本発明の集合住宅インターホンシステムに用いられる住戸内の生活情報盤の詳細を示すブロック図。
【符号の説明】
１・・・・・集合玄関機
３ａ、３ｂ、・・・・・・・・生活情報盤
５・・・・・制御機
７・・・・・館内契約店舗
９・・・・・情報サーバ
１５・・・・・館外契約店舗
１６・・・・・カメラ
３１・・・・・ＬＣＤ表示部
３２・・・・・ハンドセット（通話部）
３２ａ・・・・・ハンドセットスピーカ
３２ｂ・・・・・ハンドセットマイク
３４・・・・・表示部操作ボタン（操作部）
３５ａ・・・・・新着表示灯
３５ｂ・・・・・予約完了表示灯
６２・・・・・管理用パソコン
７１・・・・・館内契約店舗用パソコン
１５２・・・・・館外契約店舗用パソコン
【図１】
2004128624.tif 000003
【図２】
2004128624.tif 000004